【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  表面にトナー像が形成される像担持体と、前記像担持体からトナー像が１次転写される中間転写体と、前記中間転写体の表面にトナー像が１次転写される１次転写部における前記中間転写体の裏面に接触して設置された１次転写部材と、前記中間転写体の表面から記録材の表面にトナー像が２次転写される２次転写部において前記中間転写体の表面に接離自在に設置された２次転写部材と、前記２次転写部において前記中間転写体の裏面に接触して設置された２次転写対向部材と、を有する画像形成装置において、
前記１次転写のための１次転写電圧を前記１次転写部に付与し、かつ、前記２次転写のための２次転写電圧を前記２次転写部に付与する高圧電源を有することを特徴とする画像形成装置。
【請求項２】  前記高圧電源のトナーの帯電極性と逆極性の極側を前記１次転写部材および前記２次転写部材に接続し、前記高圧電源の非接続側および前記２次転写対向部材を接地したことを特徴とする請求項１に記載の画像形成装置。
【請求項３】  前記中間転写体の少なくとも裏面の表面抵抗率を１０12〜１０16Ωｃｍとしたことを特徴とする請求項２に記載の画像形成装置。
【請求項４】  前記高圧電源のトナーの帯電極性と同一の極性の極および逆極性の極を前記１次転写部材に切り替え可能に接続し、前記高圧電源の非接続側および前記２次転写部材を接地したことを特徴とする請求項１に記載の画像形成装置。
【請求項５】  前記中間転写体の少なくとも裏面の表面抵抗率を１０6〜１０8Ωｃｍとしたことを特徴とする請求項４に記載の画像形成装置。
【請求項６】  前記中間転写体の移動方向において前記１次転写部と前記２次転写部との間に、前記中間転写体を挟んで対向して設置された、前記中間転写体の裏面に接触配置した導電性部材と、前記中間転写体の表面に接離自在に配置した接地された対向極部材とからなるトナー帯電手段を有し、前記高圧電源のトナーの帯電極性と逆極性の極側を前記１次転写部材、前記２次転写部材および前記導電性部材に接続し、前記高圧電源の非接続側および前記２次転写対向部材を接地したことを特徴とする請求項１に記載の画像形成装置。
【請求項７】  前記中間転写体の少なくとも裏面の表面抵抗率を１０12〜１０16Ωｃｍとしたことを特徴とする請求項６に記載の画像形成装置。
【請求項８】  前記中間転写体の移動方向において前記２次転写部と前記１次転写部との間に、前記中間転写体を挟んで対向して設置された、前記中間転写体の表面に接離自在に配置した帯電部材と、前記中間転写体の裏面に接触配置した接地された対向極部材とからなるトナー逆帯電手段を有し、前記高圧電源のトナーの帯電極性と逆極性の極側を前記１次転写部材、前記２次転写部材および前記帯電部材に接続し、前記高圧電源の非接続側および前記２次転写対向部材を接地したことを特徴とする請求項１に記載の画像形成装置。
【請求項９】  前記中間転写体の少なくとも裏面の表面抵抗率を１０12〜１０16Ωｃｍとしたことを特徴とする請求項８に記載の画像形成装置。
【請求項１０】  前記高圧電源のトナーの帯電極性と逆極性の極を前記１次転写部材に、またトナーの帯電極性と同一の極性の極を前記２次転写対向部材に切り替え可能に接続し、また電圧を印加する極とは逆の極側は接地になるように切り替え可能に接続し、前記高圧電源の非接続側および前記２次転写部材を接地したことを特徴とする請求項１に記載の画像形成装置。
【請求項１１】  前記中間転写体の少なくとも裏面の表面抵抗率を１０6〜１０16Ωｃｍとしたことを特徴とする請求項１０に記載の画像形成装置。
【請求項１２】  前記高圧電源の極の接続の切り替えを高圧電源の出力の極性の反転により行うことを特徴とする請求項４、５、１０、１１のいずれかの項に記載の画像形成装置。
【請求項１３】  前記１次転写部材、前記２次転写部材および前記２次転写対向部材がローラ状に形成されていることを特徴とする請求項１〜１２のいずれかの項に記載の画像形成装置。
【請求項１４】  前記中間転写体がベルト状に形成されていることを特徴とする請求項１〜１３のいずれかの項に記載の画像形成装置。
【手続補正２】
【補正対象書類名】明細書
【補正対象項目名】０００６
【補正方法】変更
【補正の内容】
【０００６】
中間転写ベルト６の感光ドラム１が位置した箇所の１次転写部には、中間転写ベルト６の裏面側にベルトを介して感光ドラム１と接触した１次転写ローラ５が設置されている。この１次転写ローラ５は軸上に導電性スポンジ層を設けてなっており、高圧電源７から１次転写ローラ５に１次転写電圧（１次転写バイアス）としてトナーの帯電極性と逆極性の電圧を印加することにより、１次転写部に１次転写電圧が付与され、これにより感光ドラム１上のトナー像が中間転写ベルト６上に転写される（１次転写）。感光ドラム１上の転写残りトナーは、ドラムクリーナ８により清掃除去される。
【手続補正３】
【補正対象書類名】明細書
【補正対象項目名】０００９
【補正方法】変更
【補正の内容】
【０００９】
中間転写ベルト６上に４色のトナー像が転写されると、中間転写ベルト６にその移動と同期を取って記録紙Ｐが搬送される。この記録紙Ｐを介して２次転写ローラ９が中間転写ベルト６に当接され、高圧電源１０から２次転写ローラ９に２次転写電圧（２次転写バイアス）としてトナーの帯電極性と逆極性の電圧を印加することにより、２次転写部に２次転写電圧が付与され、これにより中間転写ベルト６上の４色のトナー像が記録紙Ｐ上に一括して転写される（２次転写）。
【手続補正４】
【補正対象書類名】明細書
【補正対象項目名】００１３
【補正方法】変更
【補正の内容】
【００１３】
【課題を解決するための手段】
上記目的は本発明に係る画像形成装置にて達成される。要約すれば、本発明は、表面にトナー像が形成される像担持体と、前記像担持体からトナー像が１次転写される中間転写体と、前記中間転写体の表面にトナー像が１次転写される１次転写部における前記中間転写体の裏面に接触して設置された１次転写部材と、前記中間転写体の表面から記録材の表面にトナー像が２次転写される２次転写部において前記中間転写体の表面に接離自在に設置された２次転写部材と、前記２次転写部において前記中間転写体の裏面に接触して設置された２次転写対向部材と、を有する画像形成装置において、前記１次転写のための１次転写電圧を前記１次転写部に付与し、かつ、前記２次転写のための２次転写電圧を前記２次転写部に付与する高圧電源を有することを特徴とする画像形成装置である。
【手続補正５】
【補正対象書類名】明細書
【補正対象項目名】００１４
【補正方法】変更
【補正の内容】
【００１４】
本発明の一態様によれば、前記高圧電源のトナーの帯電極性と逆極性の極側を前記１次転写部材および前記２次転写部材に接続し、前記高圧電源の非接続側および前記２次転写対向部材を接地し、そして、好ましい一実施態様によれば、前記中間転写体の少なくとも裏面の表面抵抗率を１０12〜１０16Ωｃｍとする。他の一態様によれば、前記高圧電源のトナーの帯電極性と同一の極性の極および逆極性の極を前記１次転写部材に切り替え可能に接続し、前記高圧電源の非接続側および前記２次転写部材を接地し、そして、好ましい一実施態様によれば、前記中間転写体の少なくとも裏面の表面抵抗率を１０6〜１０8Ωｃｍとする。
【手続補正６】
【補正対象書類名】明細書
【補正対象項目名】００１５
【補正方法】変更
【補正の内容】
【００１５】
さらに他の一態様によれば、前記中間転写体の移動方向において前記１次転写部と前記２次転写部との間に、前記中間転写体を挟んで対向して設置された、前記中間転写体の裏面に接触配置した導電性部材と、前記中間転写体の表面に接離自在に配置した接地された対向極部材とからなるトナー帯電手段を有し、前記高圧電源のトナーの帯電極性と逆極性の極側を前記１次転写部材、前記２次転写部材および前記導電性部材に接続し、前記高圧電源の非接続側および前記２次転写対向部材を接地し、そして、好ましい一実施態様によれば、前記中間転写体の少なくとも裏面の表面抵抗率を１０12〜１０16Ωｃｍとする。
【手続補正７】
【補正対象書類名】明細書
【補正対象項目名】００１６
【補正方法】変更
【補正の内容】
【００１６】
さらに別の一態様では、前記中間転写体の移動方向において前記２次転写部と前記１次転写部との間に、前記中間転写体を挟んで対向して設置された、前記中間転写体の表面に接離自在に配置した帯電部材と、前記中間転写体の裏面に接触配置した接地された対向極部材とからなるトナー逆帯電手段を有し、前記高圧電源のトナーの帯電極性と逆極性の極側を前記１次転写部材、前記２次転写部材および前記帯電部材に接続し、前記高圧電源の非接続側および前記２次転写対向部材を接地し、そして、好ましい一実施態様によれば、前記中間転写体の少なくとも裏面の表面抵抗率を１０12〜１０16Ωｃｍとする。さらに別の一態様では、前記高圧電源のトナーの帯電極性と逆極性の極を前記１次転写部材に、またトナーの帯電極性と同一の極性の極を前記２次転写対向部材に切り替え可能に接続し、また電圧を印加する極とは逆の極側は接地になるように切り替え可能に接続し、前記高圧電源の非接続側および前記２次転写部材を接地し、そして、好ましい一実施態様によれば、前記中間転写体の少なくとも裏面の表面抵抗率を１０6〜１０16Ωｃｍとする。
【手続補正８】
【補正対象書類名】明細書
【補正対象項目名】００１７
【補正方法】変更
【補正の内容】
【００１７】
前記高圧電源の極の接続の切り替えは高圧電源の出力の極性の反転により行うことができる。又、前記１次転写部材、前記２次転写部材および前記２次転写対向部材はローラ状に形成されていてよい。又、前記中間転写体はベルト状に形成されていてよい。
【手続補正９】
【補正対象書類名】明細書
【補正対象項目名】００２０
【補正方法】変更
【補正の内容】
【００２０】
本発明は、１つの高圧電源により１次転写および２次転写を可能としたことが大きな特徴である。本発明のその他の構成は図６に示した従来の画像形成装置と基本的に同じで、図６において図１に付した符号と同一の符号は同一の部材を示す。
【手続補正１０】
【補正対象書類名】明細書
【補正対象項目名】００２５
【補正方法】変更
【補正の内容】
【００２５】
本実施例において、中間転写ベルト６の裏面の表面抵抗率が１０12Ωｃｍ以下であると、ベルト裏面を介して１次転写ローラ５と接地した２次転写対向ローラ６ｃとが導通してしまい、２次転写ローラ９を介して２次転写部に２次転写電圧を印加できなくなる。また中間転写ベルト６の裏面の表面抵抗率が１０16Ωｃｍ以上であると、放電による画像不良の弊害を招く。したがって本実施例では、中間転写ベルト６の表面抵抗率は少なくとも裏面で１０12〜１０16Ωｃｍとする。
【手続補正１１】
【補正対象書類名】明細書
【補正対象項目名】００２７
【補正方法】変更
【補正の内容】
【００２７】
本実施例は、以上のように構成されるので、少なくとも裏面の表面抵抗率が１０12〜１０16Ωｃｍの中間転写ベルトを用い、１つの高圧電源で１次転写部、２次転写部に１次転写電圧、２次転写電圧を付与して、１次転写、２次転写を行うことができる。したがって高圧電源に要するコストとスペースのロスを削減することができる。
【手続補正１２】
【補正対象書類名】明細書
【補正対象項目名】００２９
【補正方法】変更
【補正の内容】
【００２９】
本実施例では、１次転写ローラ５にのみ接続された１つの高圧電源１６が設けられている。この高圧電源１６は正負の極の接続の切り替えにより、１次転写ローラ５に正負の両方の電圧を印加可能になっている。電源１６の１次転写ローラ５との非接続側は接地される。また２次転写ローラ９は接地しており、２次転写対向ローラ６ｃは接地していない。
【手続補正１３】
【補正対象書類名】明細書
【補正対象項目名】００４９
【補正方法】変更
【補正の内容】
【００４９】
本実施例における１次転写、２次転写は、実施例１の高圧電源１５によるのと同様で、高圧電源１８は、正極側が１次転写ローラ５および２次転写ローラ９に接続され、負極側が接地されている。２次転写対向ローラ６ｃも接地される。中間転写ベルト６の表面抵抗率も、同様に、少なくとも裏面で１０12〜１０16Ωｃｍとする。
【手続補正１４】
【補正対象書類名】明細書
【補正対象項目名】００５８
【補正方法】変更
【補正の内容】
【００５８】
ついで中間転写ベルト６上に４色のトナー像が転写され、中間転写ベルト６の移動と同期を取って記録紙Ｐが搬送されて、記録紙Ｐを介して２次転写ローラ９が中間転写ベルト６に当接されると、本実施例では、高圧電源１９の接続を切り替えて負の電圧を２次転写対向ローラ６ｃに印加する。これにより、２次転写対向ローラ６ｃと接地された２次転写ローラ９との間に電位差、つまり２次転写電圧が生じて、この２次転写電圧が２次転写部に付与され、中間転写ベルト６上の４色のトナー像が記録紙Ｐに一括して転写される。
【手続補正１５】
【補正対象書類名】明細書
【補正対象項目名】００５９
【補正方法】変更
【補正の内容】
【００５９】
上記において、１次転写と２次転写とは高圧電源１９の切り替えを要するために同時には行えないので、本実施例でも、実施例２のときと同様、１次転写部から２次転写部までの中間転写ベルト６の移動方向に沿った距離を、中間転写ベルト６の移動方向に沿った画像の全長よりも長く設定することにより、１次転写が終了してから２次転写を開始可能にしてある。
【手続補正１６】
【補正対象書類名】明細書
【補正対象項目名】００６０
【補正方法】変更
【補正の内容】
【００６０】
なお、高圧電源１９の極の接続を切り替えることにより、１次転写ローラ５、２次転写対向ローラ６ｃへ印加する正負の電圧の切り替えを行ったが、実施例２のときと同様、高圧電源１９の接続を変えずに、高圧電源自体で極性を反転して出力するようにしてもよい。
【手続補正１７】
【補正対象書類名】明細書
【補正対象項目名】図面の簡単な説明
【補正方法】変更
【補正の内容】
【図面の簡単な説明】
【図１】
本発明の画像形成装置の一実施例を示す概略構成図である。
【図２】
本発明の他の実施例を示す概略構成図である。
【図３】
本発明のさらに他の実施例を示す概略構成図である。
【図４】
本発明のさらに他の実施例を示す概略構成図である。
【図５】
本発明のさらに他の実施例を示す概略構成図である。
【図６】
従来の画像形成装置を示す概略図である。
【符号の説明】
１    感光ドラム
４ａ〜４ｄ  現像器
５    １次転写ローラ
６    中間転写ベルト
６ｃ  ２次転写対向ローラ
９    ２次転写ローラ
１５〜１９  高圧電源
２０  チャージアップローラ
２１  導電性ファーブラシ
２２  対向ローラ
２３  帯電ローラ